(57)【要約】【課題】高輝度を確保し、良好な画像表示を行うことが可能なプラズマディスプレイ装置及びその駆動方法を実現することを目的とする。【解決手段】プラズマディスプレイパネル１と、サステイン電極５を共通接続した結線群を１単位とする複数の維持ブロックＡ、Ｂと、スキャン電極４に放電電圧を印加する複数のスキャン回路１１１−Ａ、Ｂとを有し、各維持ブロックを駆動するタイミングが互いにシフトしており、入力される映像信号から、各維持ブロックにおける単位時間当たりの放電セル点灯率を算出する点灯率算出手段１Ｃと、点灯率算出手段１Ｃで算出された各維持ブロックの点灯率に応じて維持パルス数を増減させる維持パルス数変調手段１Ａ、Ｂを１つ乃至全ての各維持ブロックに各々設置して構成したプラズマディスプレイ装置である。【選択図】図３
2005128133.tif 000002
【特許請求の範囲】
【請求項１】
スキャン電極とサステイン電極で構成されるＬ個の行電極対と、前記行電極対と交叉して配列されたＭ個のアドレス電極と、行電極対及びアドレス電極の交点に設けられた放電空間を発光単位とする複数の放電セルから構成されるＬ×Ｍマトリクス構造のプラズマディスプレイパネルと、前記サステイン電極を共通接続した結線群を１単位とする複数の維持ブロックと、前記スキャン電極に放電電圧を印加するための多段出力を持つ複数のスキャン回路とを有するプラズマディスプレイ装置であって、各維持ブロックを駆動するタイミングが互いにシフトしており、入力される映像信号から、各維持ブロックにおける単位時間当たりの放電セル点灯率を算出する点灯率算出手段と、点灯率算出手段で算出された各維持ブロックの点灯率に応じて維持パルス数を増減させる維持パルス変調手段を１つ乃至全ての各維持ブロックに各々設置し、点灯率算出手段で算出された各維持ブロックの点灯率が異なっても各維持ブロックの発光輝度を略一致させるように構成したプラズマディスプレイ装置。
【請求項２】
点灯率算出手段の算出最小単位は、１ラインである請求項１に記載のプラズマディスプレイ装置。
【請求項３】
維持パルス変調手段は、映像信号の１フィールドを複数に分割したサブフィールドの全てにおける維持パルス数に一定値を掛け合わせる倍数手段を含む請求項１に記載のプラズマディスプレイ装置。
【請求項４】
維持パルス変調手段は、映像信号の１フィールドを複数に分割したサブフィールドの全てにおける維持パルス数の各々に個別値を掛け合わせる倍数手段を含む請求項１に記載のプラズマディスプレイ装置。
【請求項５】
維持パルス変調手段は、２つ以上のサブフィールドの維持パルス数値から、他のサブフィールドにおける維持パルス数値を算出するパルス数補間手段を含む請求項１に記載のプラズマディスプレイ装置。
【請求項６】
点灯率算出手段を、入力映像信号の固定パターンを検出する映像パターン検出手段で置き換えた請求項１に記載のプラズマディスプレイ装置。
【請求項７】
スキャン電極とサステイン電極で構成されるＬ個の行電極対と、前記行電極対と交叉して配列されたＭ個のアドレス電極と、行電極対及びアドレス電極の交点に設けられた放電空間を発光単位とする複数の放電セルから構成されるＬ×Ｍマトリクス構造のプラズマディスプレイパネルと、前記サステイン電極を共通接続した結線群を１単位とする複数の維持ブロックと、前記スキャン電極に放電電圧を印加するための多段出力を持つ複数のスキャン回路とを有するプラズマディスプレイ装置の駆動方法であって、各維持ブロックでは、映像信号の１フィールドを複数のサブフィールド群に分割したサブフィールド駆動を行い、各サブフィールド群において、（１）放電セルの初期化工程、（２）各維持ブロック内の複数のスキャン電極にはそれぞれ位相をシフトさせたスキャンパルスを含むスキャン電圧波形を順に印加して、スキャンパルスの印加されるタイミングで、アドレス電極に映像信号に対応した書き込みパルスを印加する選択的書き込み工程、（３）交互に反転した周期的電圧パルスをスキャン電極及びサステイン電極に印加する維持発光工程の順に駆動し、各維持ブロックの駆動タイミングを互いにシフトさせる維持ブロック駆動を行い、入力される映像信号から各維持ブロックの点灯率を基本時間単位毎に算出し、１つ乃至全ての維持ブロックにおいて、各維持ブロックの点灯率に従い１つ乃至全てのサブフィールドにおける維持パルスを変調することでピーク輝度またはダイナミック出力レンジを可変させ、各維持ブロックの点灯率が異なっても各維持ブロックの輝度を略一致させるように制御するプラズマディスプレイ装置の駆動方法。
【請求項８】
点灯率の算出の最小単位は、１ラインである請求項７に記載のプラズマディスプレイ装置の駆動方法。
【請求項９】
維持パルス数の変調は、映像信号の１フィールドを複数に分割したサブフィールドの全てにおける維持パルス数に一定値を掛け合わせることで行う請求項７に記載のプラズマディスプレイ装置の駆動方法。
【請求項１０】
維持パルス数の変調は、映像信号の１フィールドを複数に分割したサブフィールドの全てにおける維持パルス数の各々に個別値を掛け合わせることで行う請求項７に記載のプラズマディスプレイ装置の駆動方法。
【請求項１１】
維持パルス数の変調は、２つ以上のサブフィールドの維持パルス数値から、他のサブフィールドにおける維持パルス数値を算出することで行う請求項７に記載のプラズマディスプレイ装置の駆動方法。
【請求項１２】
点灯率の算出を、入力映像信号の固定パターンを検出する映像パターン検出で行う請求項７に記載のプラズマディスプレイ装置の駆動方法。
【請求項１３】
基本時間単位は１フレームまたは１フィールドとし、検出間隔は、基本時間幅×Ｎ（Ｎは自然数、１以上）である請求項７に記載のプラズマディスプレイ装置の駆動方法。
【請求項１４】
１つ乃至全てのサブフィールドにて維持パルス数を変調し、維持ブロックの各々において、入力映像信号レベルに対する輝度出力特性（ガンマカーブ）を略一致させる請求項７に記載のプラズマディスプレイ装置の駆動方法。
【請求項１５】
選択的書き込み工程における書き込み動作が、１フィールド中に少なくとも１回以上である請求項７に記載のプラズマディスプレイ装置の駆動方法。
【請求項１６】
各維持ブロックにおいて、第１サブフィールドのみに初期化工程を設定し、選択的書き込み工程が前サブフィールドから継続する維持発光工程を停止する消去書き込みである請求項７に記載のプラズマディスプレイ装置の駆動方法。
【請求項１７】
１つ乃至全ての維持ブロックにおいて、全てのサブフィールドにおける維持パルス数と一定の重み付け倍率との掛け算値を、各サブフィールドにおける各維持パルス数に再割り当てし、各維持ブロックのピーク輝度またはダイナミック出力レンジを可変させる請求項７から１６のいずれかに記載のプラズマディスプレイ装置の駆動方法。
【請求項１８】
１つ乃至全ての維持ブロックにおいて、各サブフィールドにおける維持パルス数に、各サブフィールド別重み付け倍率をそれぞれ掛け算し、各サブフィールドにおける各維持パルス数として再割り当てし、各維持ブロックのピーク輝度またはダイナミック出力レンジを可変させる請求項７から１６のいずれかに記載のプラズマディスプレイ装置の駆動方法。
【請求項１９】
１つ乃至全ての前記維持ブロックにおいて、少なくとも２つ以上のサブフィールドにおける維持パルス数に、各サブフィールド別重み付け倍率をそれぞれ掛け算し、各サブフィールドにおける各維持パルス数として再割り当てし、それ以外のサブフィールドにおける各維持パルス数は前記少なくとも２つ以上のサブフィールドにおける維持パルス数から補間することで各維持パルス数を再び割り当てて各維持ブロックのピーク輝度またはダイナミック出力レンジを可変させる請求項７から１６のいずれかに記載のプラズマディスプレイ装置の駆動方法。
【請求項２０】
補間は、ガンマカーブを略一致させるように行う請求項１９に記載のプラズマディスプレイ装置の駆動方法。
【請求項２１】
重み付け倍率は、小数点以下を含む実数であり、各サブフィールドの掛け算値の小数点以下を四捨五入もしくは切り捨てもしくは切り上げにより維持パルス数の値とする請求項１７から１９のいずれかに記載のプラズマディスプレイ装置の駆動方法。
【発明の詳細な説明】
【技術分野】
【０００１】
本発明は、電極結線（マトリクス）構造によるＡＣ駆動型プラズマディスプレイの駆動装置及び駆動方法に関する。
【背景技術】
【０００２】
プラズマディスプレイパネル（ＰＤＰ）は、ガス放電に伴う発光及び紫外線による蛍光体の励起発光を利用した大画面化・薄型化が可能な表示パネルであり、発光単位となる放電セル一つあたりに３本の電極が設けられた３電極放電構造を持つ、いわゆる面放電方式のＡＣ型プラズマディスプレイパネルが主である。
【０００３】
図１０は、放電セルにおける３電極放電構造の概略を模式的に示す断面図である。放電セル２００では、前面側のガラスのような基板２０１上に、対になるスキャン電極２０２とサステイン電極２０３とが並行して形成され、スキャン電極２０２及びサステイン電極２０３は誘電体層２０４及び保護層２０５で覆われている。
【０００４】
また、基板２０１に対向配置される背面側の、同じくガラスのような基板２０６上にはアドレス電極２０７がスキャン電極２０２及びサステイン電極２０３に対し直交するように形成され、その上には誘電体層２０８が設けられている。さらに誘電体層２０８の上には蛍光体層２０９が塗布されている。
【０００５】
この放電セル２００において、スキャン電極２０２とアドレス電極２０７との間に放電開始電圧Ｖｆよりも高いパルス電圧（書き込みパルス）を印加すると放電が発生する。その時、正電圧を印加しているアドレス電極２０７上の蛍光体層２０９の表面には負電荷が蓄積され、負電圧を印加しているスキャン電極２０２側の保護層２０５付近の表面には正電荷が蓄積される。また、同時に正電圧を印加しているサステイン電極２０３側の保護層２０５付近の壁面には、アドレス電極２０７と同じく負電荷が蓄積する。
【０００６】
この保護層２０５、蛍光体層２０９のそれぞれの表面に蓄積された電荷を壁電荷といい、この壁電荷によって誘起された電圧を壁電圧Ｖｗという。書き込みパルスを印加することで放電を発生させ壁電荷を生成させることをアドレス放電といい、ある単位ライン分のアドレス放電する期間をアドレス期間という。
【０００７】
スキャン電極２０２側に正電荷、サステイン電極２０３及びアドレス電極２０７側に負電荷を蓄積させた状態で、スキャン電極２０２とサステイン電極２０３間にパルス状の高電圧Ｖｉを印加すると、壁電圧Ｖｗと印加電圧Ｖｉとの和（＝セル電圧Ｖｃ）が放電開始電圧Ｖｆを超えた場合、放電が発生する。一旦、放電が開始されると、常に前放電時の電極とは正負逆極性の壁電荷が再蓄積されるので、スキャン電極２０２及びサステイン電極２０３に交互に反転する周期的パルス電圧が印加し続ける間放電は維持される。この放電を維持放電といい、維持放電している期間を維持発光期間と呼ぶ。
【０００８】
印加電圧Ｖｉは放電開始電圧Ｖｆよりも低く設定し、壁電圧（壁電荷）が無い場合は、セル電圧Ｖｃ＝Ｖｗ＋Ｖｉ＝Ｖｉ＜Ｖｆとなり、維持放電が発生しないようにする。このように、アドレス放電によって発生する壁電圧Ｖｗの有無により、次に続く維持放電の有無を決定されることで選択的放電が実現できる。
【０００９】
図１１は、従来のＰＤＰを用いたプラズマディスプレイ装置の構成を示すブロック図である。複数のスキャン電極２０２、複数のサステイン電極２０３及び複数のアドレス電極２０７を含む。複数のアドレス電極２０７は画面垂直方向に配列され、複数のスキャン電極２０２及び複数のサステイン電極２０３は画面水平方向に対になって配列されている。複数のサステイン電極２０３はすべて同電位になるよう共通化されている。スキャン電極２０２、サステイン電極２０３及びアドレス電極２０７の各交点に放電セル２００が形成され、表示画面上の画素として機能する。
【００１０】
スキャン回路２１０は複数のスキャン電極２０２を順に駆動し、サステイン回路２１１は複数のサステイン電極２０３を共通に駆動する。そして、アドレス回路２１２は映像データに応じて複数のアドレス電極２０７を１ライン分同時に駆動する。
【００１１】
図１２（ａ）に図１１に示したプラズマディスプレイ装置を駆動するための、アドレス・発光分離（Ａｄｄｒｅｓｓ  Ｄｉｓｐｌａｙ−ｐｅｒｉｏｄ  Ｓｅｐａｒａｔｅｄ）駆動方式を示す。以下、ＡＤＳ駆動方式と略する。ＴＶ信号は、一般に１秒間に６０枚の画像を重ね合わせて映像を表示しており、約１６．６ｍｓｅｃに１回の割合で画像を形成することになる。その１６．６ｍｓｅｃに相当する時間を１（ＴＶ）フィールドとする。
【００１２】
図１２（ａ）に示すように、その１ＴＶフィールドは、複数のサブフィールドＳＦ１、ＳＦ２〜ＳＦＮに分割されており、各サブフィールドはアドレス期間Ｔａｄｒと維持放電期間Ｔｓｕｓ１、Ｔｓｕｓ２〜ＴｓｕｓＮから構成される。アドレス期間Ｔａｄｒでは、表示させるライン数分に相当する個数のスキャンパルスを順にスキャンする。
【００１３】
図１２（ｂ）に、ＡＤＳ駆動方式におけるスキャン電極２０２、サステイン電極２０３及びアドレス電極２０７に印加される動作波形の一例を示す。図１２（ｂ）に示すように、アドレス電極２０７には、アドレス期間Ｔａｄｒにおいて、各ラインに表示するデータを各ラインのスキャンパルス幅Ｔｓｃ内でＨレベルもしくはＬレベルを設定する。Ｈ／Ｌレベルに対応するアドレス電圧は、それぞれ約６０Ｖ／０Ｖである。アドレス電極２０７によりＨレベルの電圧を印加された各ライン上の各画素空間には、壁電荷が蓄積されている。Ｌレベルの場合には壁電荷は蓄積されていない。壁電荷が蓄積されている画素は、各維持発光期間Ｔｓｕｓｉ（Ｎ＝１〜Ｎ）では放電が開始・維持されることとなる。
【００１４】
各サブフィールドの維持放電期間Ｔｓｕｓ１，Ｔｓｕｓ２〜ＴｓｕｓＮは、それぞれの重み付け比率が２の累乗（１：２：４：〜：２N-1）となるよう設定されている。各サブフィールドの発光時間を選択的に組み合わせることで、１〜２N段階の多階調表示をしている。例えば、Ｎ＝８の場合、１ＴＶフィールドは８個のサブフィールドで構成され、２8＝２５６階調表示が可能となる（例えば、非特許文献１参照）。
【非特許文献１】内池平樹、御子柴茂生共著、「プラズマディスプレイのすべて」（株）工業調査会、１９９７年５月１日、ｐ７９−ｐ８０、ｐ１５３−１５４
【発明の開示】
【発明が解決しようとする課題】
【００１５】
しかし通常のＡＤＳ駆動方式では、一定期間のアドレス期間Ｔａｄｒを各サブフィールドにて確保する必要があり、少なくとも、「サブフィールド数×Ｔａｄｒ」の期間は非発光となる。階調数を多くするためにサブフィールドを増やす程、またＨＤなどの高解像度表示にする程、非発光期間は多くなり、１ＴＶフィールドに対する発光時間は減り、輝度を確保できないという課題が発生する。例えば、ＮＴＳＣ信号で画面上下２分割して駆動する場合、走査パルスＴｓｃは８μｓｅｃ程度に設定され、アドレス期間Ｔａｄｒは８×４８０／２＝１．９２（ｍｓｅｃ）となる。６ｂｉｔで多階調表示する際には、全アドレス期間は１．９２×６＝１１．５２（ｍｓｅｃ）となり、１ＴＶフィールド１６．６（ｍｓｅｃ）に対する発光時間の比率は（１６．６−１１．５２）／１６．６＝３０．６％と低い。
【００１６】
本発明は上述したような状況に鑑みてなされたものであり、高輝度を確保し、良好な画像表示を行うことが可能なプラズマディスプレイ装置及びその駆動方法を実現することを目的とする。
【課題を解決するための手段】
【００１７】
上記目的を実現するために本発明のプラズマディスプレイ装置は、スキャン電極とサステイン電極で構成されるＬ個の行電極対と、前記行電極対と交叉して配列されたＭ個のアドレス電極と、行電極対及びアドレス電極の交点に設けられた放電空間を発光単位とする複数の放電セルから構成されるＬ×Ｍマトリクス構造のプラズマディスプレイパネルと、前記サステイン電極を共通接続した結線群を１単位とする複数の維持ブロックと、前記スキャン電極に放電電圧を印加するための多段出力を持つ複数のスキャン回路とを有するプラズマディスプレイ装置であって、各維持ブロックを駆動するタイミングが互いにシフトしており、入力される映像信号から、各維持ブロックにおける単位時間当たりの放電セル点灯率を算出する点灯率算出手段と、点灯率算出手段で算出された各維持ブロックの点灯率に応じて維持パルス数を増減させる維持パルス変調手段を１つ乃至全ての各維持ブロックに各々設置し、点灯率算出手段で算出された各維持ブロックの点灯率が異なっても各維持ブロックの発光輝度を略一致させるように構成したものである。
【００１８】
また、上記目的を実現するために本発明のプラズマディスプレイ装置の駆動方法は、スキャン電極とサステイン電極で構成されるＬ個の行電極対と、前記行電極対と交叉して配列されたＭ個のアドレス電極と、行電極対及びアドレス電極の交点に設けられた放電空間を発光単位とする複数の放電セルから構成されるＬ×Ｍマトリクス構造のプラズマディスプレイパネルと、前記サステイン電極を共通接続した結線群を１単位とする複数の維持ブロックと、前記スキャン電極に放電電圧を印加するための多段出力を持つ複数のスキャン回路とを有するプラズマディスプレイ装置の駆動方法であって、各維持ブロックでは、映像信号の１フィールドを複数のサブフィールド群に分割したサブフィールド駆動を行い、各サブフィールド群において、（１）放電セルの初期化工程、（２）各維持ブロック内の複数のスキャン電極にはそれぞれ位相をシフトさせたスキャンパルスを含むスキャン電圧波形を順に印加して、スキャンパルスの印加されるタイミングで、アドレス電極に映像信号に対応した書き込みパルスを印加する選択的書き込み工程、（３）交互に反転した周期的電圧パルスをスキャン電極及びサステイン電極に印加する維持発光工程の順に駆動し、各維持ブロックの駆動タイミングを互いにシフトさせる維持ブロック駆動を行い、入力される映像信号から各維持ブロックの点灯率を基本時間単位毎に算出し、１つ乃至全ての維持ブロックにおいて、各維持ブロックの点灯率に従い１つ乃至全てのサブフィールドにおける維持パルス数を変調することでピーク輝度またはダイナミック出力レンジを可変させ、各維持ブロックの点灯率が異なっても各維持ブロックの輝度を略一致させるように制御するというものである。
【発明の効果】
【００１９】
本発明のプラズマディスプレイ装置及びその駆動方法によれば、逐次変動する表示画像の画質品位を保ち駆動条件を最適化することで、高輝度を確保し、良好な画像表示を行うことが可能となる。
【発明を実施するための最良の形態】
【００２０】
すなわち、本発明の請求項１に記載の発明は、スキャン電極とサステイン電極で構成されるＬ個の行電極対と、前記行電極対と交叉して配列されたＭ個のアドレス電極と、行電極対及びアドレス電極の交点に設けられた放電空間を発光単位とする複数の放電セルから構成されるＬ×Ｍマトリクス構造のプラズマディスプレイパネルと、前記サステイン電極を共通接続した結線群を１単位とする複数の維持ブロックと、前記スキャン電極に放電電圧を印加するための多段出力を持つ複数のスキャン回路とを有するプラズマディスプレイ装置であって、各維持ブロックを駆動するタイミングが互いにシフトしており、入力される映像信号から、各維持ブロックにおける単位時間当たりの放電セル点灯率を算出する点灯率算出手段と、点灯率算出手段で算出された各維持ブロックの点灯率に応じて維持パルス数を増減させる維持パルス変調手段を１つ乃至全ての各維持ブロックに各々設置し、点灯率算出手段で算出された各維持ブロックの点灯率が異なっても各維持ブロックの発光輝度を略一致させるように構成したプラズマディスプレイ装置である。
【００２１】
また、請求項２に記載の発明は、請求項１に記載の発明において、点灯率算出手段の算出最小単位は、１ラインであるというものである。
【００２２】
また、請求項３に記載の発明は、請求項１に記載の発明において、維持パルス変調手段は、映像信号の１フィールドを複数に分割したサブフィールドの全てにおける維持パルス数に一定値を掛け合わせる倍数手段を含むというものである。
【００２３】
また、請求項４に記載の発明は、請求項１に記載の発明において、維持パルス変調手段は、映像信号の１フィールドを複数に分割したサブフィールドの全てにおける維持パルス数の各々に個別値を掛け合わせる倍数手段を含むというものである。
【００２４】
また、請求項５に記載の発明は、請求項１に記載の発明において、維持パルス変調手段は、２つ以上のサブフィールドの維持パルス数値から、他のサブフィールドにおける維持パルス数値を算出するパルス数補間手段を含むというものである。
【００２５】
また、請求項６に記載の発明は、請求項１に記載の発明において、点灯率算出手段を、入力映像信号の固定パターンを検出する映像パターン検出手段で置き換えたというものである。
【００２６】
また、請求項７に記載の発明は、スキャン電極とサステイン電極で構成されるＬ個の行電極対と、前記行電極対と交叉して配列されたＭ個のアドレス電極と、行電極対及びアドレス電極の交点に設けられた放電空間を発光単位とする複数の放電セルから構成されるＬ×Ｍマトリクス構造のプラズマディスプレイパネルと、前記サステイン電極を共通接続した結線群を１単位とする複数の維持ブロックと、前記スキャン電極に放電電圧を印加するための多段出力を持つ複数のスキャン回路とを有するプラズマディスプレイ装置の駆動方法であって、各維持ブロックでは、映像信号の１フィールドを複数のサブフィールド群に分割したサブフィールド駆動を行い、各サブフィールド群において、（１）放電セルの初期化工程、（２）各維持ブロック内の複数のスキャン電極にはそれぞれ位相をシフトさせたスキャンパルスを含むスキャン電圧波形を順に印加して、スキャンパルスの印加されるタイミングで、アドレス電極に映像信号に対応した書き込みパルスを印加する選択的書き込み工程、（３）交互に反転した周期的電圧パルスをスキャン電極及びサステイン電極に印加する維持発光工程の順に駆動し、各維持ブロックの駆動タイミングを互いにシフトさせる維持ブロック駆動を行い、入力される映像信号から各維持ブロックの点灯率を基本時間単位毎に算出し、１つ乃至全ての維持ブロックにおいて、各維持ブロックの点灯率に従い１つ乃至全てのサブフィールドにおける維持パルス数を変調することでピーク輝度またはダイナミック出力レンジを可変させ、各維持ブロックの点灯率が異なっても各維持ブロックの輝度を略一致させるように制御するプラズマディスプレイ装置の駆動方法である。
【００２７】
また、請求項８に記載の発明は、請求項７に記載の発明において、点灯率の算出の最小単位は、１ラインであるというものである。
【００２８】
また、請求項９に記載の発明は、請求項７に記載の発明において、維持パルス数の変調は、映像信号の１フィールドを複数に分割したサブフィールドの全てにおける維持パルス数に一定値を掛け合わせることで行うというものである。
【００２９】
また、請求項１０に記載の発明は、請求項７に記載の発明において、維持パルス数の変調は、映像信号の１フィールドを複数に分割したサブフィールドの全てにおける維持パルス数の各々に個別値を掛け合わせることで行うというものである。
【００３０】
また、請求項１１に記載の発明は、請求項７に記載の発明において、維持パルス数の変調は、２つ以上のサブフィールドの維持パルス数値から、他のサブフィールドにおける維持パルス数値を算出することで行うというものである。
【００３１】
また、請求項１２に記載の発明は、請求項７に記載の発明において、点灯率の算出を、入力映像信号の固定パターンを検出する映像パターン検出で行うというものである。
【００３２】
また、請求項１３に記載の発明は、請求項７に記載の発明において、基本時間単位は１フレームまたは１フィールドとし、検出間隔は、基本時間幅×Ｎ（Ｎは自然数、１以上）であるというものである。
【００３３】
また、請求項１４に記載の発明は、請求項７に記載の発明において、１つ乃至全てのサブフィールドにて維持パルス数を変調し、維持ブロックの各々において、入力映像信号レベルに対する輝度出力特性（ガンマカーブ）を略一致させるというものである。
【００３４】
また、請求項１５に記載の発明は、請求項７に記載の発明において、選択的書き込み工程における書き込み動作が、１フィールド中に少なくとも１回以上であるというものである。
【００３５】
また、請求項１６に記載の発明は、請求項７に記載の発明において、各維持ブロックにおいて、第１サブフィールドのみに初期化工程を設定し、選択的書き込み工程が前サブフィールドから継続する維持発光工程を停止する消去書き込みであるというものである。
【００３６】
また、請求項１７に記載の発明は、請求項７から１６のいずれかに記載の発明において、１つ乃至全ての維持ブロックにおいて、全てのサブフィールドにおける維持パルス数と一定の重み付け倍率との掛け算値を、各サブフィールドにおける各維持パルス数に再割り当てし、各維持ブロックのピーク輝度またはダイナミック出力レンジを可変させるというものである。
【００３７】
また、請求項１８に記載の発明は、請求項７から１６のいずれかに記載の発明において、１つ乃至全ての維持ブロックにおいて、各サブフィールドにおける維持パルス数に、各サブフィールド別重み付け倍率をそれぞれ掛け算し、各サブフィールドにおける各維持パルス数として再割り当てし、各維持ブロックのピーク輝度またはダイナミック出力レンジを可変させるというものである。
【００３８】
また、請求項１９に記載の発明は、請求項７から１６のいずれかに記載の発明において、１つ乃至全ての前記維持ブロックにおいて、少なくとも２つ以上のサブフィールドにおける維持パルス数に、各サブフィールド別重み付け倍率をそれぞれ掛け算し、各サブフィールドにおける各維持パルス数として再割り当てし、それ以外のサブフィールドにおける各維持パルス数は前記少なくとも２つ以上のサブフィールドにおける維持パルス数から補間することで各維持パルス数を再び割り当てて各維持ブロックのピーク輝度またはダイナミック出力レンジを可変させるというものである。
【００３９】
また、請求項２０に記載の発明は、請求項１９に記載の発明において、補間は、ガンマカーブを略一致させるように行うというものである。
【００４０】
また、請求項２１に記載の発明は、請求項１７から１９のいずれかに記載の発明において、重み付け倍率は、小数点以下を含む実数であり、各サブフィールドの掛け算値の小数点以下を四捨五入もしくは切り捨てもしくは切り上げにより維持パルス数の値とするというものである。
【００４１】
以下、本発明の一実施の形態を図面を用いて説明する。
【００４２】
（実施の形態１）
図１は、本発明の一実施の形態によるプラズマディスプレイ装置に用いられるＰＤＰの概略構成を示す断面斜視図である。
【００４３】
ＰＤＰ１の前面板２は、前面側のガラスのような透明且つ絶縁性の基板３の一主面上に形成したＬ本のスキャン電極４とＬ本のサステイン電極５とからなるＬ個の行電極対６と、その行電極対６を覆う誘電体層７と、さらにその誘電体層７を覆う、例えばＭｇＯによる保護層８とを有する構造である。スキャン電極４とサステイン電極５は、電気抵抗の低減を目的として、透明電極４ａ、５ａに金属材料からなるバス電極４ｂ、５ｂを積層した構造としている。
【００４４】
また、背面板９は、背面側のガラスのような絶縁性の基板１０の一主面上に形成したＭ本のアドレス電極１１と、そのアドレス電極１１を覆う誘電体層１２と、誘電体層１２上のアドレス電極１１の間に相当する場所に位置する隔壁１３と、隔壁１３間に、赤色の蛍光体層１４Ｒ、緑色の蛍光体層１４Ｇ、青色の蛍光体層１４Ｂからなる蛍光体層１４を有する構造である。
【００４５】
そして、前面板２と背面板９とは、隔壁１３を挟んで、行電極対６とアドレス電極１１とが直交するように対向し、画像表示領域の外の周囲を封着部材により封止した構成であり、前面板２と背面板９との間に形成された放電空間１５には、例えばＮｅ−Ｘｅ５％の放電ガスが６６．５ｋＰａ（５００Ｔｏｒｒ）の圧力で封入されている。
【００４６】
そして、放電空間１５の行電極対６とアドレス電極１１との交差部が放電セル１６（単位発光領域）として動作する。
【００４７】
図２は、放電セル１６の概略構成を模式的に示す断面図である。
【００４８】
放電セル１６では、前面板２の基板３上には、スキャン電極４とサステイン電極５とが並行して形成されることで行電極対６を構成し、そしてこの行電極対６は誘電体層７及び保護層８で覆われている。
【００４９】
また、基板３に対して隔壁１３を挟んで対向配置される背面板９の基板１０上には、アドレス電極１１が行電極対６に対し直交するように形成され、その上には誘電体層１２が設けられている。さらに誘電体層１２の上には蛍光体層１４が塗布されている。
【００５０】
この放電セル１６において、スキャン電極４とアドレス電極１１との間に放電開始電圧Ｖｆよりも高いパルス電圧（書き込みパルス）を印加すると放電が発生する。その時、正電圧を印加しているアドレス電極１１上の蛍光体層１４の表面には負電荷が蓄積され、負電圧を印加しているスキャン電極４側の保護層８付近の表面には正電荷が蓄積される。また、同時に正電圧を印加しているサステイン電極５側の保護層８付近の壁面には、アドレス電極１１と同じく負電荷が蓄積する。
【００５１】
この保護層８、蛍光体層１４のそれぞれの表面に蓄積された電荷を壁電荷といい、この壁電荷によって誘起された電圧を壁電圧Ｖｗという。書き込みパルスを印加することで放電を発生させ壁電荷を生成させることをアドレス放電といい、ある単位ライン分のアドレス放電する期間をアドレス期間という。
【００５２】
スキャン電極４側に正電荷、サステイン電極５及びアドレス電極１１側に負電荷を蓄積させた状態で、スキャン電極４とサステイン電極５間にパルス状の高電圧Ｖｉを印加すると、壁電圧Ｖｗと印加電圧Ｖｉとの和（＝セル電圧Ｖｃ）が放電開始電圧Ｖｆを超えた場合、放電が発生する。一旦、放電が開始されると、常に前放電時の電極とは正負逆極性の壁電荷が再蓄積されるので、スキャン電極４及びサステイン電極５に交互に反転する周期的パルス電圧が印加し続ける間放電は維持される。この放電を維持放電といい、維持放電している期間を維持発光期間と呼ぶ。
【００５３】
印加電圧Ｖｉは放電開始電圧Ｖｆよりも低く設定し、壁電圧（壁電荷）が無い場合は、セル電圧Ｖｃ＝Ｖｗ＋Ｖｉ＝Ｖｉ＜Ｖｆとなり、維持放電が発生しないようにする。このように、アドレス放電によって発生する壁電圧Ｖｗの有無により、次に続く維持放電の有無を決定されることで選択的放電が実現できる。
【００５４】
図３は、本発明の一実施の形態によるＡＣ型のプラズマディスプレイ装置の概略構成を示すブロック図である。
【００５５】
ＰＤＰ１の表示領域を、維持ブロックＡと維持ブロックＢの２つの単位に分け、それぞれに対しての駆動回路として、維持ブロックＡにはスキャン回路１１１−Ａ及びサステイン回路１１２−Ａ、維持ブロックＢにはスキャン回路１１１−Ｂ及びサステイン回路１１２−Ｂを割り当て、それぞれの維持ブロックでＡＤＳ駆動を行う。
【００５６】
点灯率算出手段１Ｃは、入力映像信号１Ｄから１ライン毎に点灯する放電セル１６の数をカウントし、各維持ブロックの点灯率を算出する。複数ライン分の点灯率を合算し、領域の点灯率もしくは固定表示パターンを類推する機能を持たせてもよい。維持ブロックＡの領域に関する点灯率１Ｅ−Ａの情報は維持パルス変調手段１Ａへ、維持ブロックＢの領域に関する点灯率１Ｅ−Ｂは維持パルス変調手段１Ｂへそれぞれ渡される。
【００５７】
まず、維持ブロックＡにおいて、維持パルス変調手段１Ａは、点灯率算出手段１Ｃから渡された点灯率１Ｅ−Ａに基づき、新たに変調維持パルス１Ｆ−Ａを生成し、スキャン回路１１１−Ａとサステイン回路１１２−Ａへ渡す。スキャン回路１１１−Ａ及びサステイン回路１１２−Ａでは、変調維持パルス１Ｆ−ＡをＶｓｕｓ電圧（１７０Ｖ程度）振幅の駆動パルスに増幅し、維持ブロックＡ領域内のＰＤＰ１の放電セル１６を点灯させる。放電セル１６は、アドレス回路１１３によって駆動されるアドレス電極１１と、スキャン回路１１１−Ａによって駆動されるスキャン電極４及びサステイン回路１１２−Ａによって駆動されるサステイン電極５が交差して発光し、スキャン電極４及びサステイン電極５に対し交互に印加されるパルス（維持パルス）の個数により発光輝度が決定する。定性的には、維持パルス数が多いと輝度が高くなり少ないと低くなる。すなわち、維持パルス数を変調させることで発光輝度が調節できる。
【００５８】
維持ブロックＢにおいても同様で、維持パルス変調手段１Ｂは、点灯率算出手段１Ｃから渡された点灯率１Ｅ−Ｂに基づき、新たに変調維持パルス１Ｆ−Ｂを生成し、スキャン回路１１１−Ｂとサステイン回路１１２−Ｂへ渡す。スキャン回路１１１−Ｂ及びサステイン回路１１２−Ｂでは、変調維持パルス１Ｆ−Ｂを駆動パルスに増幅し、維持ブロックＢ領域内のＰＤＰ１の放電セル１６を点灯させる。
【００５９】
ここで、通常、スキャン回路やサステイン回路の出力段は、主に種々の電源電圧を切り換えるＦＥＴ群で構成されており、映像信号パターンが異なると、出力段に掛かる発光負荷も変動し、その分だけ電源電圧も若干変動することになる。すなわち、スキャン回路及びサステイン回路には、元々回路として持つ固有のインピーダンスに加え、映像によるダイナミックに変化する表示負荷分を駆動する能力が要求される。したがって、図３において、ブロックＡＤＳ駆動を行う場合、維持ブロックＡまたはＢに常に同じ映像が表示される訳ではないので同じ表示負荷が印加されない。つまり、同じ維持パルス数を加えても輝度が若干異なる現象が生じてしまう。
【００６０】
そこで、点灯率算出手段１Ｃにて点灯率を算出するとき、１ライン分の点灯する放電セル１６または非点灯の放電セル１６の数をカウントし、その１ライン分点灯率を複数ライン分もしくは１つの維持ブロック分保持することで、維持ブロックＡまたはＢ内を積算した点灯率が算出でき、かつ表示映像内のある固定パターンを検出することができる。すなわち、点灯率が高くなると表示負荷は大きくなる傾向にあるため、各維持ブロックの点灯率をモニタすることで各維持ブロックに掛かる表示負荷を類推することが可能となり、点灯率が変動しても、その変動分を打ち消す方向に維持パルス数を増減させることで、維持ブロック間のローディング輝度差を打ち消すことができる。
【００６１】
また、維持パルス変調手段１Ａまたは１Ｂは、映像信号の１フィールドを複数に分割したサブフィールドの全てにおける維持パルス数に一定値を掛け合わせたり、各サブフィールドに個別値を掛け合わせたり、２つ以上のサブフィールドの維持パルス数から他のサブフィールドにおける維持パルス数を補間する機能を付加することで、入力信号レベルに対する輝度特性、つまりガンマカーブを細かに制御することもできる。
【００６２】
なお、本実施の形態においては維持ブロックの数は２としたが、２に限定するものではなく２以上の維持ブロックの場合にも適用できる。維持ブロックの数を増やすと、サブフィールド数を多く確保でき、より高画質な表示を得ることができる。または維持期間を大きくし維持パルス数を増やすことができるので、より高輝度な表示を実現できる。
【００６３】
しかし、維持ブロック数が多いと、維持ブロック毎にスキャン回路１１１及びサステイン回路１１２のペアが個数数必要になり、制御が困難となり、また回路のコストアップに繋がる場合があるので、実用的には、４〜８ブロックが妥当である。
【００６４】
（実施の形態２）
以下の説明では、実施の形態１で示したＡＣ型のプラズマディスプレイ装置の駆動方法について説明する。
【００６５】
図４は、本発明の一実施の形態によるＡＣ型のプラズマディスプレイ装置の駆動方法を説明するための画面の模式図である。
【００６６】
本実施の形態の駆動方法では、映像信号の１フィールド、主に１／６０≒１６．７ｍｓｅｃを複数のサブフィールド群に分割したサブフィールド駆動を行う。各サブフィールドでは、（１）放電セル１６の初期化工程、（２）選択的書き込み工程、（３）維持発光工程の順に駆動する。
【００６７】
初期化工程では、この後に続く書き込み作業の準備をするため、前サブフィールドで維持放電を終了した維持ブロック内の全放電セル１６の電荷調整を一度に行う。次の選択的書き込み工程では、各維持ブロック内のライン毎にクロック位相を１つずつシフトさせたスキャンパルスに対し、映像信号を時間軸方向（サブフィールド方向）に変換した映像データパルス（書き込みパルス）を同期させ、点灯させたい放電セル１６に壁電荷を生成させる。そして、維持発光工程では、スキャン回路１１１−Ａ、１１１−Ｂ及びサステイン回路１１２−Ａ、１１２−Ｂから、それぞれ、スキャン電極４及びサステイン電極５に、交互に反転したＶｓｕｓ電圧の維持パルスを印加してパルスの個数分だけ維持発光させる。
【００６８】
各維持ブロックで行うこれら一連のサブフィールド駆動のタイミングを互いにシフトさせて、１フィールドにおけるサブフィールド数もしくは維持期間を増やす駆動方式を維持ブロックＡＤＳ駆動という。
【００６９】
維持ブロックＡの初期化工程と、維持ブロックＢの選択的書き込み工程が重なる場合には、維持ブロックＡの初期化作業が、維持ブロックＢにおいて書き込み作業と等価になる可能性があるので、維持ブロックＡの初期化工程の時間帯に、維持ブロックＢに休止期間を設けるとよい。
【００７０】
点灯率は、維持ブロックＡ及びＢそれぞれにおいて算出する。まず、ディジタル化された映像信号データの、維持ブロックＡ領域の第１ラインに相当する部分に注目し、点灯させる放電セル１６の個数をカウントする。第２ライン以降も同様に点灯させる放電セル１６の個数をカウントし、維持ブロックＡの最終ライン数分までのライン点灯率を１次元的に合算すると、維持ブロックＡの点灯率が算出される。また、維持ブロックＡの第１ラインから最終ラインまでのライン点灯率を２次元的に記憶すると、維持ブロックＡ内に表示されるであろう映像信号のパターンを前もって認識させることもできる。このときカウントするのは、点灯させる放電セル１６ではなく、非点灯の放電セル１６でも結果的には点灯率を算出することができる。維持ブロックＢについても同様のことがいえる。点灯率を算出する時間間隔は、基本単位を１フレームまたは１フィールドとし、その基本時間幅×Ｎ（Ｎは自然数、１以上）で処理することで、より自然な輝度変化を行うことができる。
【００７１】
このようにして得た各維持ブロックの点灯率や表示認識パターン情報を基に、各維持ブロックにおける維持パルス数を調整することで、画面上で維持ブロック間の輝度差を無くすことができる。画面は維持ブロックＡと維持ブロックＢに二分されており、実施の形態１で示した構成において、それぞれＡＤＳ駆動を行っている。また、実施の形態１においても説明したように、映像表示パターンが異なると表示負荷も変動し、その分だけ電源電圧も若干変動することで、見かけ上、駆動回路のインピーダンスが変動する。維持ブロックＡまたはＢに常に同じ映像が表示される訳ではないので、同じ負荷が印加されず、図４（ａ）のように、同じ維持パルス数を加えても輝度が若干異なる現象が生じてしまう。もし点灯率が下がる場合には、維持ブロックに投入される電流量が比較して増えるので、同じパルス数での輝度が上がる。逆に、点灯率が上がる場合には投入される電流量が比較して減るので、同じパルス数での輝度が下がる。図４（ｂ）において、維持ブロックＡ及びＢそれぞれのピークを２Ａ及び２Ｂ（２Ａ＞２Ｂ）とした場合、維持ブロックＢのピーク輝度２Ｂに合わせるよう、維持ブロックＡの維持パルス数を少し減らすことで維持ブロック間の輝度差を減らす。また、図２（ｃ）のように、維持ブロックＡのピーク輝度２Ａに合うように、維持ブロックＢの維持パルス数を少し減らすことで維持ブロック間の輝度差を減らすこともできる。また、別に設けた輝度２Ｃの値と合うように維持ブロックＡのピーク輝度２Ａ及び維持ブロックＢのピーク輝度２Ｂの値をそれぞれの維持パルス数にて調整してもよい。
【００７２】
このように、点灯率の変動をそれぞれの維持ブロックの維持パルス数に反映させ、ピーク輝度を可変させることで維持ブロック間の輝度差を無くすことができる。
【００７３】
図５は、維持ブロックＡ及び維持ブロックＢそれぞれの、入力信号レベルに対する輝度変化特性すなわちガンマカーブを示している。維持ブロックＡ及びＢそれぞれのガンマカーブ３Ａ及び３Ｂは、
ＹA＝ＧA・Ｘ＾γA  （式１）
ＹB＝ＧB・Ｘ＾γB  （式２）
で表される。ここで、ＹA及びＹBは、維持ブロックＡ及びＢにおける表示輝度、ＧA及びＧBは出力ゲイン、そしてγA及びγBはガンマ値を表している。通常、テレビ受像機の場合は、γA＝γB＝２．２が用いられる。ピーク輝度２Ａ及び２Ｂを同じ輝度に合わせるには、このガンマ値γA＝γBを変えないようにして、各サブフィールドにおける維持パルス数を調整する。つまり、（式１）または（式２）において、γA及びγBを固定し、ＧA及びＧBを可変させるように、各サブフィールドにおける維持パルス数を調整する。つまり、ガンマカーブ３Ａをガンマカーブ３Ｂに合わせる、もしくはガンマカーブ３Ｂをガンマカーブ３Ａに合わせてもよい。または、あるガンマカーブ３Ｃを予め設定し、ガンマカーブ３Ａ及び３Ｂをガンマカーブ３Ｃに合わせ込んでもよい。つまり、発光輝度特性のダイナミック出力レンジを操作することで、維持ブロック間の輝度差を無くす。
【００７４】
図６は、維持ブロックＡ及びＢに跨るパターンが表示された場合の画面の模式図である。図のように、白地パターンに維持ブロックを跨いだような三角黒窓が表示されると、各維持ブロックの点灯率が異なるので、各維持ブロックには図６のようなローディング４Ａ及び４Ｂが現れ、輝度差が生じる。このとき、維持ブロック間に跨るローディング差の方が維持ブロック境界に近く、白地パターンの輝度差が仮にあっても、ローディング差の方が比較的顕著に見えやすい。逆に、白地パターンの輝度差は互いに離れているため、目立ちにくい。このとき、ローディング差は、表示する前段階で検出された点灯率あるいは表示認識パターンから類推することが可能なので、予めローディング差を減少させる方向に維持パルス数を調整することで、ローディング差を軽減することが可能である。
【００７５】
サブフィールド毎に維持パルス数を可変してガンマ値を調整できるのは、主にＰＷＭ駆動方式である。本願に記載するＡＤＳ駆動は、アドレス（書き込み）動作と発光動作を分離させる駆動方式を意味するので、ＰＷＭ駆動方式も広義のＡＤＳ駆動方式の１つである。ただ、一般的にＡＤＳ駆動方式というのは、各サブフィールドにおいて、アドレス（書き込み）／発光／消去の動作を行い、各サブフィールドの維持パルス数の重み付けとして、２の階乗個（２＾０＝１、２＾１＝２、・・・、２＾Ｎ）であることが多く、この狭義でのＡＤＳ駆動では、ガンマ値を調整することができない。
【００７６】
例として、全４サブフィールド（ＳＦ１、ＳＦ２、ＳＦ３、ＳＦ４）駆動において各サブフィールドの重み付けつまり維持パルス数がそれぞれ、１、２、４、８とする。狭義のＡＤＳ駆動では、この各サブフィールドの重み付けの取捨選択で階調を決定するので、階調１＝ＳＦ１、階調２＝ＳＦ２、階調３＝ＳＦ１＋ＳＦ２、階調４＝ＳＦ３、・・・となり、入力信号に対する出力輝度は、ガンマ値１のガンマカーブつまり線形的に変化する。入力信号が１０進数で１２階調の場合、ＳＦ３とＳＦ４を点灯させる。このとき、ＳＦ３の重み付けを４→３に変更すると出力輝度レベルは１２→１１に下がるが、加えて１２階調以上でＳＦ３を用いる階調全ての輝度レベルが１つ下がりガンマカーブは段差の多い折れ線となる。つまり、狭義のＡＤＳ駆動ではガンマ値を変えるような調整は原理的に不可能なので、その場合は、信号処理にてガンマカーブを変更する。
【００７７】
それに対してＰＷＭ駆動は、各入力信号レベルに対する出力輝度の階調は、前サブフィールドからの積算値になるので、ガンマカーブを変更できる。逆にＰＷＭ駆動では、狭義のＡＤＳ駆動に対し、同じ階調を出力するのにサブフィールド数を多く必要とする。そのため、ＰＷＭ駆動は、狭義のＡＤＳ駆動と同程度のサブフィールド数にて行い、ディザや誤差拡散にて階調数を補っている。
【００７８】
本実施の形態では、１フィールドを１／６０ｓｅｃ．としたが、これに限定されるものではなく、例えば、サブフィールド数を少なくし、１／７０ｓｅｃ．もしくは１／８０ｓｅｃ．で表示させてもよく、逆にサブフィールド数を増やして１／５０ｓｅｃ．で表示してもよい。
【００７９】
また、維持ブロック数は、実施の形態１と同様、２ブロックに限定されるものではなく、ブロック数を増やすことにより、サブフィールド数を多く確保し画質を向上させ、維持発光期間を長くして輝度を向上させることが可能である。
【００８０】
（実施の形態３）
以下、実施の形態２に示すＡＣ型のプラズマディスプレイ装置の駆動方法において、算出された入力信号の点灯率を基に維持パルス数を変調させる方法について説明する。
【００８１】
図７は、本発明の一実施の形態によるＡＣ型のプラズマディスプレイ装置およびその駆動方法を説明するための図で、図７（ａ）は概略構成を示すブロック図であり、また図７（ｂ）は維持パルス数の変調前後の変化を示す模式図である。
【００８２】
図７（ａ）に示すように、維持パルス発生部５Ｂから各サブフィールドに対する維持パルスが出力され、倍数回路５Ａによって、点灯率の値により輝度を調整する方向に倍率Ｎを算出し維持パルス数に掛け合わせる。そうすることで、点灯率の変化により各サブフィールドの維持パルス数を同じ倍率で増加もしくは減少させることができる。すなわち、図７（ｂ）のように、各サブフィールドの維持パルス数に同じ倍率を掛け合わせることとなるので、ダイナミック出力レンジが変化するだけでガンマカーブは変化しない。つまり、ゲインのみを変えるのには有効な方法の一つである。
【００８３】
（実施の形態４）
図８は、本発明の一実施の形態によるＡＣ型のプラズマディスプレイ装置およびその駆動方法を説明するための図で、図８（ａ）は概略構成を示すブロック図であり、また図８（ｂ）は維持パルス数の変調前後の変化を示す模式図である。
【００８４】
図８（ａ）に示すように、倍数回路６Ａは、算出された点灯率を基に各サブフィールド毎の個別の倍率Ｎ１、Ｎ２、・・・、Ｎｍを設定し、維持パルス発生部６Ｂから受け取るサブフィールド情報とセレクタ６Ｃによって各サブフィールドの個別の倍率Ｎ１、Ｎ２、・・・、Ｎｍを切り換える。そして維持パルス発生部６Ｂから出力される各サブフィールドの維持パルス数と掛け合わせて、維持パルス数を変調させる。
【００８５】
このように、点灯率の変化により各サブフィールドの維持パルス数を個別に増加または減少させることができる。すなわち図８（ｂ）のように、各サブフィールドに個別に倍率を設定することとなるので、ガンマ値を少し変更する場合に有効である。
【００８６】
ＰＷＭ駆動の場合は、第１サブフィールドから特定のサブフィールドまで順々に積算した結果がそれぞれガンマカーブを形成するように、各サブフィールドの維持パルス数を変更することで実現できる。例えば、全体的に暗い画像から低い点灯率が算出された場合、各維持ブロックでガンマ値を２．２→２．０に変更し、低階調領域のダイナミック出力レンジを見かけ上大きくし映像を鮮明に表現させかつ維持ブロック間の輝度差のないよう維持パルス数を調整できる。
【００８７】
（実施の形態５）
図９は、本発明の一実施の形態によるＡＣ型のプラズマディスプレイ装置とその駆動方法を説明するための図で、図９（ａ）は概略構成を示すブロック図であり、また図９（ｂ）は維持パルス数の変調前後の変化を示す模式図である。
【００８８】
図９（ａ）に示すように、倍数回路７Ａは、算出された点灯率を基に第１サブフィールドと各サブフィールドの個別の倍率Ｎ１とＮｍを設定し、また、補間回路７Ｄによってガンマカーブが連続になるようにサブフィールドの個別の倍率Ｎ２'、・・・が計算される。このように設定された各サブフィールドの個別の倍率Ｎ１，Ｎ２'、・・・、Ｎｍは、維持パルス発生部７Ｂから得たサブフィールド情報にてセレクタ７Ｃを切り換えることで、サブフィールド方向に選択する。そして維持パルス発生部７Ｂから出力される各サブフィールドの維持パルス数と掛け合わせて、維持パルス数を変調させる。第４の実施の形態と同様に、ダイナミック出力レンジを見かけ上大きくしかつ維持ブロック間の輝度差を調整できる。補間に用いる倍率は、第１サブフィールドまたは第ｍサブフィールドの倍率Ｎ１もしくはＮｍに限定するものではなく、任意のサブフィールドの個別の倍率でもよい。また２点補間に限定するものではなく、３点以上を用いて補間精度を上げてもよい。
【００８９】
なお、以上説明した実施の形態２から５に示したプラズマディスプレイ装置の駆動方法を２つ以上組み合わせてもよい。その他、例示はしないが、本発明はその主旨を逸脱しない範囲で種々変更を加え得るものである。
【産業上の利用可能性】
【００９０】
以上のように本発明は、逐次変動する表示画像の画質品位を保ち駆動条件を最適化することで、高輝度を確保し、良好な画像表示を行うことが可能なプラズマディスプレイ装置及びその駆動方法を提供することができる。
【図面の簡単な説明】
【００９１】
【図１】本発明の実施の形態１に示すプラズマディスプレイ装置に用いられるプラズマディスプレイパネルの概略構成を示す断面斜視図
【図２】図１における放電セルの概略構成を模式的に示す断面図
【図３】本発明の実施の形態１に示すプラズマディスプレイ装置の概略構成を示すブロック図
【図４】本発明の実施の形態２に示すプラズマディスプレイ装置の駆動方法を説明するための画面の模式図
【図５】維持ブロックＡ、Ｂそれぞれの入力信号レベルに対する輝度変化の特性を示す図
【図６】維持ブロックＡ及びＢに跨るパターンが表示された場合の輝度差が生じた画面の模式図
【図７】本発明の実施の形態３に示すプラズマディスプレイ装置の概略構成を示すブロック図および維持パルス数の変調前後の変化を示す模式図
【図８】本発明の実施の形態４に示すプラズマディスプレイ装置の概略構成を示すブロック図および維持パルス数の変調前後の変化を示す模式図
【図９】本発明の実施の形態５に示すプラズマディスプレイ装置の概略構成を示すブロック図および維持パルス数の変調前後の変化を示す模式図
【図１０】従来のプラズマディスプレイパネルにおける３電極放電構造の概略を模式的に示す断面図
【図１１】従来のプラズマディスプレイ装置の概略構成を示すブロック図
【図１２】ＡＤＳ駆動方式を説明するための模式図および駆動電圧の一例を示す図
【符号の説明】
【００９２】
４  スキャン電極
５  サステイン電極
６  行電極対
１１  アドレス電極
１６  放電セル
１Ａ  維持ブロックＡに対する維持パルス変調手段
１Ｂ  維持ブロックＢに対する維持パルス変調手段
１Ｃ  点灯率算出手段
１Ｄ  入力映像信号
１Ｅ−Ａ  点灯率
１Ｅ−Ｂ  点灯率
１Ｆ−Ａ  変調維持パルス
１Ｆ−Ｂ  変調維持パルス
１１１−Ａ  維持ブロックＡに対するスキャン回路
１１１−Ｂ  維持ブロックＢに対するスキャン回路
１１２−Ａ  維持ブロックＡに対するサステイン回路
１１２−Ｂ  維持ブロックＢに対するサステイン回路
【図１】
2005128133.tif 000003
【図２】
2005128133.tif 000004
【図３】
2005128133.tif 000005
【図４】
2005128133.tif 000006
【図５】
2005128133.tif 000007
【図６】
2005128133.tif 000008
【図７】
2005128133.tif 000009
【図８】
2005128133.tif 000010
【図９】
2005128133.tif 000011
【図１０】
2005128133.tif 000012
【図１１】
2005128133.tif 000013
【図１２】
2005128133.tif 000014